(57)【要約】【課題】  集草容器に蓄えられた刈草の飛散を抑制する。【解決手段】  モータユニットからの刈草を集草ダクト６からゲートフレーム７に送り、このゲートフレーム７から集草容器５に送る刈草の移送系を構成し、集草ダクト６の後端部に配置される後方底板６３をゲートフレーム７に支持し、かつ、この後方底板６３をゲートフレーム７に揺動自在に支持される本体６３ａと、この本体に６３ａに揺動自在に支持される可動体６３ｂとで構成し、ゲートフレーム７と集草容器５とを一体的に上昇ささせる際には、可動体６３ｂを下方に折り曲げることにより、集草ダクト６の上板６０との接触を回避する接触回避手段を備えた。【選択図】        図８
2005151840.tif 000002
【特許請求の範囲】
【請求項１】
モーアユニットで刈り取られた刈草を集草容器に送り込む集草ダクトを備え、前記集草容器が前記モーアユニットに対して昇降機構により昇降自在に支持されている集草装置において、
前記モーアユニットからの刈草を、前記集草ダクトの出口部からゲートフレームの通過口を介して前記集草容器に送り込む刈草の排出経路が形成され、
前記集草ダクトは、モーアユニットから集草容器に刈草を案内する上板と左右側板とを備えて構成され、かつ、この上板と左右側板とで取り囲まれる空間の端部によって前記出口部が形成され、
前記ゲートフレームは、前記集草容器を集草姿勢と排草姿勢とに揺動自在に支持し、かつ、刈取作業時ダクト後部に位置する底板をダクトに沿う案内姿勢と起立姿勢とに揺動自在に支持し、前記昇降機構は、前記ゲートフレームを集草レベルから上昇させるに伴い、このゲートフレームを前記出口部から離間する方向に変位させるよう昇降作動形態が設定され、
この昇降機構によってゲートフレームを集草レベルから上昇させる際には、前記底板の突出側の端部を、その突出量を減ずる方向に変位させ、底板と前記集草ダクトの上板との接触を回避する接触回避手段を備えたことを特徴とする集草装置。
【請求項２】
前記昇降機構が、昇降アクチュエータの駆動力で揺動作動することにより前記ゲートフレームを昇降作動させる昇降リンク機構を備えて構成され、前記底板が、前記ゲートフレームに支持された本体と、この本体に対して水平姿勢の軸芯周りで揺動自在に支持された可動体とで構成され、
前記接触回避手段は、前記昇降リンク機構の揺動に連係して揺動作動するカム体と、このカム体との接触により揺動姿勢が設定される揺動片と、この揺動片と前記可動体とを連動連係する連係部材とで構成され、ゲートフレームを集草レベルから上昇作動させた際には、前記昇降リンクの姿勢変化に伴い前記カム体が前記揺動片を揺動させ、前記連係部材を介して前記可動体を予め設定された方向に揺動させることを特徴とする請求項１記載の集草装置。
【請求項３】
モーアユニットで刈り取られた刈草を集草容器に送り込む集草ダクトを備え、前記集草容器が前記モーアユニットに対して昇降機構により昇降自在に支持されている集草装置において、
前記モーアユニットからの刈草を、前記集草ダクトの出口部からゲートフレームの通過口を介して前記集草容器に送り込む刈草の排出経路が形成され、
前記集草ダクトは、モーアユニットから集草容器に刈草を案内する上板と左右側板とを備えて構成され、かつ、この上板と左右側板とで取り囲まれる空間の端部によって前記出口部が形成され、
前記ゲートフレームは、前記集草容器を集草姿勢と排草姿勢とに揺動自在に支持し、かつ、刈取作業時ダクト後部に位置する底板をダクトに沿う案内姿勢と起立姿勢とに揺動自在に支持し、
前記集草容器の集草姿勢から排草姿勢への切り換えに連動して前記底板を起立姿勢に揺動させる連動機構を備え、この連動機構による前記底板の起立姿勢への揺動と連係して前記底板の突出側の端部を、その突出量を減ずる方向に変位させ、底板と前記集草ダクトの上板との接触を回避する接触回避手段を備えたことを特徴とする集草装置。
【請求項４】
前記集草容器の開口部を、前記ゲートフレームに向かわせる前記集草姿勢と、下方に向かわせる前記排草姿勢との間で前記集草容器を揺動させる揺動機構が備えられ、前記連動機構は、前記集草容器の前記集草姿勢から排草姿勢への揺動力を前記底板に伝えて、この底板を前記案内姿勢から起立姿勢に揺動させる連係部材で構成され、
前記底板は、前記ゲートフレームに対して横向き姿勢の基端側軸芯周りで揺動自在に支持された本体と、この本体の先端側において横向き姿勢の先端側軸芯周りで揺動自在に支持された可動体とで構成され、前記接触回避手段は、前記底板の起立姿勢への揺動に連係して、前記可動体の先端側が自重によって下方に向けて揺動する作動を許容するよう構成されている請求項３記載の集草装置。
【請求項５】
前記集草容器の開口部を、前記ゲートフレームに向かわせる前記集草姿勢と、下方に向かわせる前記排草姿勢との間で前記集草容器を揺動させる揺動機構が備えられ、前記連動機構は、前記集草容器の前記集草姿勢から排草姿勢への揺動力を前記底板に伝えて、この底板を前記案内姿勢から起立姿勢に揺動させる連係部材で構成され、
前記底板は、前記ゲートフレームに対して横向き姿勢の基端側軸芯周りで揺動自在に支持された本体と、この本体に対して出退自在に支持された可動体とで構成され、前記接触回避手段は、前記底板の起立姿勢への揺動に連動して、前記可動体の先端側を本体の基端側に退避作動させる操作アームを備えて構成されている請求項３記載の集草装置。
【請求項６】
前記接触回避手段は、前記底板の起立姿勢への揺動に先立って、前記可動体を接触回避側に変位させる作動を開始するよう作動順序が設定されている請求項４又は５記載の集草装置。
【請求項７】
前記揺動機構は、前記集草容器と一体揺動する駆動アームに対して揺動操作力を作用させる排出アクチュエータを備えて構成され、前記連係部材は、前記底板と一体揺動する従動アームと前記駆動アームとを連係するロッドで構成されたことを特徴とする請求項３〜６のいずれか１項に記載の集草装置。
【請求項８】
前記モーアユニットが走行機体に支持され、前記集草ダクトが、前記モーアユニットからの刈草を、車体の下側で、かつ、左右の車輪の中間を通過させて、走行車体の後部側に配置された前記ゲートユニットに送る部位に配置されたことを特徴とする請求項１〜７のいずれか１項に記載の集草装置。
【請求項９】
モーアユニットで刈り取られた刈草を集草容器に送り込む集草ダクトを備え、前記集草容器が前記モーアユニットに対して昇降機構により昇降自在に支持されている集草装置において、
前記モーアユニットからの刈草を、前記集草ダクトの出口部からゲートフレームの通過口を介して前記集草容器に送り込む刈草の排出経路が形成され、
前記集草ダクトは、モーアユニットから集草容器に刈草を案内する上板と左右側板とを備えて構成され、かつ、この上板と左右側板とで取り囲まれる空間の端部によって前記出口部が形成され、
前記ゲートフレームは、前記集草容器を集草姿勢と排草姿勢とに揺動自在に支持し、かつ、刈取作業時ダクト後部に位置する底板をダクトに沿う案内姿勢と起立姿勢とに揺動自在に支持し、前記昇降機構は、前記ゲートフレームを集草レベルから上昇させるに伴い、このゲートフレームを前記出口部から離間する方向に変位させるよう昇降作動形態が設定され、
この昇降機構によってゲートフレームを集草レベルから上昇させる際には、前記底板の突出側の端部を、その突出量を減ずる方向に変位させ、底板と前記集草ダクトの上板との接触を回避し、かつ、前記集草レベルにおいて前記集草容器の集草姿勢から排草姿勢への切り換えに連動して前記底板を起立姿勢に揺動させる連動機構による前記底板の起立姿勢への揺動と連係して前記底板の突出側の端部を、その突出量を減ずる方向に変位させ、底板と前記集草ダクトの上板との接触を回避する接触回避手段を備えたことを特徴とする集草装置。
【発明の詳細な説明】
【技術分野】
【０００１】
本発明は、モーアユニットで刈り取られた刈草を集草容器に送り込む集草ダクトを備え、前記集草容器が前記モーアユニットに対して昇降機構により昇降自在に支持されている集草装置に関する。
【背景技術】
【０００２】
モーアユニットで刈り取られた刈草を直接放出できないような環境下においては、刈草は集草ダクト等を介して集草容器に一時的に保管する必要がある。このような集草装置を備えた草刈機では、集草容器内に所定量の刈草が貯まると定められた刈草放置エリアまで走行して、そこで集草容器から刈草が放出される。この刈草の放出時において、集草容器が所定の位置に達する前に集草容器の開口から刈草がこぼれて刈草放置エリア外に飛び散ってしまうことを避けるために種々の工夫が従来から提案されている。
【０００３】
例えば、集草容器の開口に蓋体とこの蓋体によって開閉操作される案内体が設けられており、刈草作業時には、蓋体を閉鎖して案内姿勢の案内体を介してダクトからの刈草を集草容器に蓄え、刈草放出時にはこの集草容器を草刈機のダクトから引き抜き、刈草放置エリアまで運んだ後蓋体を開放揺動するとともに案内体も開放姿勢に揺動することで得られる大きな開口でもって集草容器から刈草を放出する集草装置がある（例えば、特許文献１参照。）。
【０００４】
集草容器を人が刈草放置エリアまで運ぶのではなく、草刈機が刈草放置エリアまで移動して、そこで集草容器から刈草を放出する構成のものもある。このような草刈機では、昇降リンク機構に、左右向きの支軸周りの揺動で集草姿勢と排草姿勢とに姿勢切り換え可能となるように容器本体を連結し、その容器本体に、左右向きの支軸周りの揺動で容器本体の後端部に形成された開口を開閉する開閉蓋を装備し、昇降リンク機構と容器本体とにわたって、容器本体を姿勢切り換え操作する油圧シリンダを架設し、昇降リンク機構と開閉蓋との間に、容器本体の姿勢切り換え操作に連動して開閉蓋を開閉操作するリンク機構を介装しており、集草容器を集草ダクトから離間した高い排草位置で集草姿勢から排草姿勢とに姿勢切り換え操作することで集草容器から刈草が放出される（例えば、特許文献２参照。）。この草刈機では、容器本体の姿勢切り換え操作に連動して開閉蓋を開閉操作するリンク機構にガタなどが生じることにより、走行時に容器本体と開閉蓋の間からの刈草の漏れ出すことがあった。
【０００５】
さらに、集草ダクトと集草容器の間の領域に可動フラップが設けられ、集草容器が集草ダクトから離脱するように上昇する際に可動フラップが集草容器の開口を閉じる位置に変位して、集草容器の開口から刈草が不用意に放出されないように構成された草刈機がある（例えば、特許文献３参照。）。この草刈機においても、可動フラップの変位機構を正確に製作しないと閉じられた可動フラップと集草容器の開口との間から刈草が漏れ出す可能性がある。
【０００６】
【特許文献１】特開平０３−００４７１４号公報（第２−３頁、第１図）
【０００７】
【特許文献２】特開２００１−２７５４３８号公報（段落番号１２−１７、第５図）
【０００８】
【特許文献３】米国特許第６０５００７２号明細書（第４欄−第６欄、第３図）
【発明の開示】
【発明が解決しようとする課題】
【０００９】
上記実状に鑑み、本発明の課題は、モーアユニットで刈り取られた刈草を集草ダクトを介して集草容器に送り込む集草装置において、集草ダクトと集草容器の間から抜け出した刈草が刈草放置エリア以外の場所に散らばることを避けることである。
【課題を解決するための手段】
【００１０】
本発明の特徴は、モーアユニットで刈り取られた刈草を集草容器に送り込む集草ダクトを備え、前記集草容器が前記モーアユニットに対して昇降機構により昇降自在に支持されている集草装置において、
前記モーアユニットからの刈草を、前記集草ダクトの出口部からゲートフレームの通過口を介して前記集草容器に送り込む刈草の排出経路が形成され、前記集草ダクトは、モーアユニットから集草容器に刈草を案内する上板と左右側板とを備えて構成され、かつ、この上板と左右側板とで取り囲まれる空間の端部によって前記出口部が形成され、前記ゲートフレームは、前記集草容器を集草姿勢と排草姿勢とに揺動自在に支持し、かつ、刈取作業時ダクト後部に位置する底板をダクトに沿う案内姿勢と起立姿勢とに揺動自在に支持し、前記昇降機構は、前記ゲートフレームを集草レベルから上昇させるに伴い、このゲートフレームを前記出口部から離間する方向に変位させるよう昇降作動形態が設定され、この昇降機構によってゲートフレームを集草レベルから上昇させる際には、前記底板の突出側の端部を、その突出量を減ずる方向に変位させ、底板と前記集草ダクトの上板との接触を回避する接触回避手段を備えた点にある。
【００１１】
この構成により、ゲートフレームを上昇させる際には、底板の突出側の端部を、その突出量を減ずる方向に変位させるので、この底板の突出側の端部を集草ダクトの上板に接触させることがない。つまり、底板を備えることにより、ゲートフレームの上昇時には、集草容器に蓄えられた刈草がゲートフレームの通過口からこぼれ落ちても、この刈草を底板が受け止め、地上へのこぼれ落ちを阻止するものとなり、ゲートフレームを集草レベルから上昇させる際に、底板の突出側の端部の突出量を減ずる方向に変位させるので、ゲートフレームが上昇する際には、接触回避手段によって底板の突出側の端部の突出量を減ずる方向に変位させることにより、この端部が、集草ダクトを構成する上板に接触する不都合を回避して円滑な昇降を実現する。
【００１２】
本発明は、前記昇降機構が、昇降アクチュエータの駆動力で揺動作動することにより前記ゲートフレームを昇降作動させる昇降リンク機構を備えて構成され、前記底板が、前記ゲートフレームに支持された本体と、この本体に対して水平姿勢の軸芯周りで揺動自在に支持された可動体とで構成され、前記接触回避手段は、前記昇降リンク機構の揺動に連係して揺動作動するカム体と、このカム体との接触により揺動姿勢が設定される揺動片と、この揺動片と前記可動体とを連動連係する連係部材とで構成され、ゲートフレームを集草レベルから上昇作動させた際には、前記昇降リンクの姿勢変化に伴い前記カム体が前記揺動片を揺動させ、前記連係部材を介して前記可動体を予め設定された方向に揺動させても良い。
【００１３】
この構成により、ゲートフレームを集草レベルから上昇させることにより、昇降リンクの姿勢変化に伴いカム体が揺動片を変位させ、この変位が連係部材を介して可動体に伝えられ、可動体を予め設定された方向に揺動変位させ、結果として、底板の突出側の端部の張り出し量を減じ、この底板の端部を上板に接触させることがない。
【００１４】
本発明の特徴は、モーアユニットで刈り取られた刈草を集草容器に送り込む集草ダクトを備え、前記集草容器が前記モーアユニットに対して昇降機構により昇降自在に支持されている集草装置において、
前記モーアユニットからの刈草を、前記集草ダクトの出口部からゲートフレームの通過口を介して前記集草容器に送り込む刈草の排出経路が形成され、前記集草ダクトは、モーアユニットから集草容器に刈草を案内する上板と左右側板とを備えて構成され、かつ、この上板と左右側板とで取り囲まれる空間の端部によって前記出口部が形成され、前記ゲートフレームは、前記集草容器を集草姿勢と排草姿勢とに揺動自在に支持し、かつ、刈取作業時ダクト後部に位置する底板をダクトに沿う案内姿勢と起立姿勢とに揺動自在に支持し、前記集草容器の集草姿勢から排草姿勢への切り換えに連動して前記底板を起立姿勢に揺動させる連動機構を備え、この連動機構による前記底板の起立姿勢への揺動と連係して前記底板の突出側の端部を、その突出量を減ずる方向に変位させ、底板と前記集草ダクトの上板との接触を回避する接触回避手段を備えた点にある。
【００１５】
この構成により、集草容器を集草姿勢から排草姿勢に揺動させる際には、底板の突出側の端部を、その突出量を減ずる方向に変位させるので、この底板の突出側の端部を集草ダクトの上板に接触させることがない。つまり、底板を備えることにより、集草容器に蓄えられた刈草がゲートフレームの通過口からこぼれ落ちても、この刈草を底板が受け止め、地上へのこぼれ落ちを阻止するものとなる。そして、連動機構によって集草容器を集草姿勢から排草姿勢へ揺動させた場合には、この揺動と連動して前記底板を起立姿勢に揺動させることにより、この底板で受け止めた刈り草を自重で排出でき、このように底板を起立姿勢に揺動させる際には、底板の突出側の端部の突出量を減ずる方向に変位させるので、この底板の突出側の端部が集草ダクトを構成する上板に接触する不都合を回避して円滑な作動を現出する。
【００１６】
本発明は、前記集草容器の開口部を、前記ゲートフレームに向かわせる前記集草姿勢と、下方に向かわせる前記排草姿勢との間で前記集草容器を揺動させる揺動機構が備えられ、前記連動機構は、前記集草容器の前記集草姿勢から排草姿勢への揺動力を前記底板に伝えて、この底板を前記案内姿勢から起立姿勢に揺動させる連係部材で構成され、前記底板は、前記ゲートフレームに対して横向き姿勢の基端側軸芯周りで揺動自在に支持された本体と、この本体の先端側において横向き姿勢の先端側軸芯周りで揺動自在に支持された可動体とで構成され、前記接触回避手段は、前記底板の起立姿勢への揺動に連係して、前記可動体の先端側が自重によって下方に向けて揺動する作動を許容しても良い。
【００１７】
この構成により、揺動機構によって集草容器を集草姿勢から排草姿勢に揺動させる際には、この揺動力により連動機構が底板を起立姿勢に揺動させるものとなり、このように底板が起立姿勢に揺動する際には、接触回避手段が、この底板を構成する本体の先端側に揺動自在に支持した可動体の自重による下方への揺動を許容するので、底板と可動体とを作動させるための特別のアクチュエータ類を備えずとも可動体を起立姿勢に揺動させながら、この底板の端部を揺動させ、結果として底板の端部が上板に接触する不都合を解消する。
【００１８】
本発明は、前記集草容器の開口部を、前記ゲートフレームに向かわせる前記集草姿勢と、下方に向かわせる前記排草姿勢との間で前記集草容器を揺動させる揺動機構が備えられ、前記連動機構は、前記集草容器の前記集草姿勢から排草姿勢への揺動力を前記底板に伝えて、この底板を前記案内姿勢から起立姿勢に揺動させる連係部材で構成され、前記底板は、前記ゲートフレームに対して横向き姿勢の基端側軸芯周りで揺動自在に支持された本体と、この本体に対して出退自在に支持された可動体とで構成され、前記接触回避手段は、前記底板の起立姿勢への揺動に連動して、前記可動体の先端側を本体の基端側に退避作動させる操作アームを備えても良い。
【００１９】
この構成により、揺動機構によって集草容器を集草姿勢から排草姿勢に揺動させる際には、この揺動力により連動機構が底板を起立姿勢に揺動させるものとなり、このように底板が起立姿勢に揺動する際には、接触回避手段を構成する操作アームが、この底板を構成する本体の先端側に出退自在に支持した可動体を退避作動させるので、底板と可動体とを作動させるための特別のアクチュエータ類を備えずとも可動体を起立姿勢に揺動させながら、この底板の端部を退避作動させ、結果として底板の端部が上板に接触する不都合を解消する。
【００２０】
本発明は、前記接触回避手段として、前記底板の起立姿勢への揺動に先立って、前記可動体を接触回避側に変位させる作動を開始するよう作動順序を設定しても良い。
【００２１】
この構成により、可動体を接触回避方向に作動させた後に、底板を起立姿勢に揺動させるのことになるので、可動体と上板との接触を確実に回避できるものとなる。
【００２２】
本発明は、前記揺動機構として、前記集草容器と一体揺動する駆動アームに対して揺動操作力を作用させる排出アクチュエータを備えて構成し、前記連係部材として、前記底板と一体揺動する従動アームと前記駆動アームとを連係するロッドで構成しても良い。
【００２３】
この構成により、排出アクチュエータの駆動力を駆動アームに伝えて集草容器を排草姿勢に揺動させた場合に、駆動アームの作動を連係部材としてのロッドが従動アームに伝えて底板を起立姿勢に揺動させることが可能となり、単一の排出アクチュエータを用いるものでも、集草容器の姿勢の切り換えと底板の姿勢の切り換えとを同時に行える。
【００２４】
本発明は、前記モーアユニットが走行機体に支持され、前記集草ダクトが、前記モーアユニットからの刈草を、車体の下側で、かつ、左右の車輪の中間を通過させて、走行車体の後部側に配置された前記ゲートユニットに送る部位に配置しても良い。
【００２５】
この構成により、走行機体の下部で、左右の車輪の中間に位置する空間を有効に利用して集草ダクトを配置するので、集草ダクトを車体外部に配置したものと比較して、集草ダクトが外部に張り出すことなく、走行機体をコンパクトにできる。
【００２６】
本発明は、モーアユニットで刈り取られた刈草を集草容器に送り込む集草ダクトを備え、前記集草容器が前記モーアユニットに対して昇降機構により昇降自在に支持されている集草装置において、
前記モーアユニットからの刈草を、前記集草ダクトの出口部からゲートフレームの通過口を介して前記集草容器に送り込む刈草の排出経路が形成され、前記集草ダクトは、モーアユニットから集草容器に刈草を案内する上板と左右側板とを備えて構成され、かつ、この上板と左右側板とで取り囲まれる空間の端部によって前記出口部が形成され、前記ゲートフレームは、前記集草容器を集草姿勢と排草姿勢とに揺動自在に支持し、かつ、刈取作業時ダクト後部に位置する底板をダクトに沿う案内姿勢と起立姿勢とに揺動自在に支持し、前記昇降機構は、前記ゲートフレームを集草レベルから上昇させるに伴い、このゲートフレームを前記出口部から離間する方向に変位させるよう昇降作動形態が設定され、
この昇降機構によってゲートフレームを集草レベルから上昇させる際には、前記底板の突出側の端部を、その突出量を減ずる方向に変位させ、底板と前記集草ダクトの上板との接触を回避し、かつ、前記集草レベルにおいて前記集草容器の集草姿勢から排草姿勢への切り換えに連動して前記底板を起立姿勢に揺動させる連動機構による前記底板の起立姿勢への揺動と連係して前記底板の突出側の端部を、その突出量を減ずる方向に変位させ、底板と前記集草ダクトの上板との接触を回避する接触回避手段を備えても良い。
【００２７】
この構成により、ゲートフレームを上昇させる際には、底板の突出側の端部を、その突出量を減ずる方向に変位させるので、この底板の突出側の端部を集草ダクトの上板に接触させることがなく、集草容器を集草姿勢から排草姿勢に揺動させる際には、底板の突出側の端部を、その突出量を減ずる方向に変位させるので、この底板の突出側の端部を集草ダクトの上板に接触させることがない。つまり、底板を備えることにより、ゲートフレームの上昇時には、集草容器に蓄えられた刈草がゲートフレームの通過口からこぼれ落ちても、この刈草を底板が受け止め、地上へのこぼれ落ちを阻止するものとなり、ゲートフレームを集草レベルから上昇させる際に、底板の突出側の端部の突出量を減ずる方向に変位させるので、ゲートフレームが上昇する際には、接触回避手段によって底板の突出側の端部の突出量を減ずる方向に変位させることにより、この端部が、集草ダクトを構成する上板に接触する不都合を回避して円滑な昇降を実現する。また、集草レベルにおいて連動機構によって集草容器を集草姿勢から排草姿勢へ揺動させた場合には、この揺動と連動して前記底板を起立姿勢に揺動させることにより、この底板で受け止めた刈り草を自重で排出でき、このように底板を起立姿勢に揺動させる際には、底板の突出側の端部の突出量を減ずる方向に変位させるので、この底板の突出側の端部が集草ダクトを構成する上板に接触する不都合を回避して円滑な作動を現出する。
【発明を実施するための最良の形態】
【００２８】
以下、本発明の実施の形態を図面に基づいて説明する。
〔第１実施の形態〕図１には草刈機の全体側面が示されており、この草刈機はミッドマウントモーア型であり、前後方向に延びたフレームを含む走行機体１と、この走行機体１の前部に配備された前輪として機能する左右一対のキャスター式の転輪２と、走行機体１の後部に配備された後輪として機能する左右一対の駆動車輪３と、前輪２と後輪３との間に昇降操作可能に装備されたモーアユニット４と、走行機体１の後方に配置された集草容器５とを備えている。走行機体１の中核要素として機能する機体フレーム１０は基本的には前後方向に延びる左右一対の帯状プロファイル部材から構成されている。
【００２９】
モーアユニット４で生じた刈草は左右一対の後輪３（駆動車輪３）の間を延びている集草ダクト６によって案内され、集草容器５に蓄積されていくが、集草ダクト６と集草容器５の接続はゲートフレーム７を介して行われている。
【００３０】
走行機体１には、運転座席１１がモーアユニット４の上方に位置するように配備され、その運転座席１１の左右に変速レバー１２が配設されている。運転座席１１の後方で走行機体１の上方で左右方向での中間部位にエンジン１３が搭載されている。
【００３１】
図２〜図４からよく理解できるように、エンジン１３からの動力は、振動に起因した伝動軸心のズレを許容するボールジョイント１４を介して、エンジン１３の前下方に配設されたミッションケース２０の入力軸２１に伝達され、ミッションケース２０内において、入力軸２１から３枚の平歯車２２を介して動力分配機構２３に伝達される。この動力分配機構２３からの走行用の動力が、一対のベベルギヤ２４ａ及び左右向きの中継軸２４などを介して左右のＨＳＴ（静油圧式無段変速機構）３０に分配伝達され、左右の各ＨＳＴ３０による変速後の動力が、左右の各車軸ケース３１内に装備された減速機構３２を介して左右の対応する駆動車輪３の車軸３ａに伝達されるように構成されている。つまり左右の各駆動車輪３の動力を伝達する左右一対の変速装置はそれぞれ無段変速機構３０と減速機構３１から構成されている。
【００３２】
エンジン１３からの動力が左右の対応するＨＳＴ３０を介して左右の各駆動車輪（後輪）３の車軸３ａに独立伝達されており、左右のＨＳＴ３０に対応して連係された左右の変速レバー１２を操作して、左右の各ＨＳＴ３０を独立変速操作することで、左右の両ＨＳＴ３０を同じ変速状態に操作して左右の駆動車輪３を等速駆動させる直進状態と、左右のＨＳＴ３０を異なる変速状態に操作して左右の駆動車輪３を差動させる旋回状態とに走行状態を切り換えられるようになっている。
【００３３】
尚、ＨＳＴ３０は、前後進切り換え可能に構成されていることから、旋回状態として、左右の駆動車輪３が同方向に駆動される緩旋回状態、左右いずれか一方の駆動車輪３が駆動停止されるピボット旋回状態、及び、左右の駆動車輪３が逆方向に駆動されるスピン旋回状態が作り出される。
【００３４】
図４に示すように、動力分配機構２３には、作業用の動力を断続する多板式の作業クラッチ２５が装備され、作業クラッチ２５を経由した作業用の動力が、前後向きの第１伝動軸２６及び機体前部の前部ケース２７内に装備された一対の平歯車２８などを介して動力取出軸２９に伝達され、この動力取出軸２９の後端部から、一対のボールジョイント４１及び前後向きの第２伝動軸４２を介してモーアユニット４の入力軸４３に伝達されるように構成されている。
【００３５】
尚、動力取出軸２９は、その前端部からも動力を取り出すことができるようになっており、この動力取出軸２９の前端部を利用することで、図示は省略するが、走行機体１の前方などに装備される補助作業装置への伝動を容易に行えるようになっている。
【００３６】
モーアユニット４は、ハウジング４０内に草刈り用の左右一対のブレード４４を縦向きの支軸４５周りに回転可能に装備し、その入力軸４３に伝達された作業用の動力が、一対のベベルギヤ４６を介して一方の支軸４５に伝達され、その一方の支軸４５からベルト式伝動機構４８を介して他方の支軸４５に伝達されることで、左右のブレード４４が、それらの回転軌跡の一部が重複する状態で、かつ、その重複箇所では互いに後方に向かう状態に、逆向き等速回転駆動されるように構成されており、この回転駆動によって草類の刈り取りを行うとともに、この回転駆動で生起される搬送風によってハウジング４０の後部左右中央に形成された排出口を通じて集草ダクト６に向けて刈草が排出される。
【００３７】
図３と図４から明らかなように、左右のＨＳＴ３０及び減速機構３２は、機体フレーム１０の左右中央に配設された動力分配機構２３を挟んだ左右の対称位置に振り分け配置されており、これによって、動力分配機構２３と左右のＨＳＴ３０及び減速機構３１は、左右中央下部に空間３３を作り出すべく門形に構成されている。又、左右の減速機構３１は、対応するＨＳＴ３０の機体外方側に連結配備されるようになっており、これによって、空間３３は地面と機体フレーム１０の間に位置することになる。そして、その空間３３の左右中央を集草ダクト６が延びている。その際、集草ダクト６は前記後輪３の車軸３ａとダクト断面の中心が実質的に一致するように延びている。また、図３から、動力分配機構２３とＨＳＴ３０が前記左右の減速機構３１の上端部の間で同じ高さレベルに配置されていることが確認できる。
【００３８】
図２〜４に示すように、左右の各ＨＳＴ３０の機体内方側には、対応するＨＳＴ３０の出力軸３４に制動作用することで対応する駆動車輪３を制動する湿式ブレーキ３５が装備されており、これら左右の湿式ブレーキ３５は、機体フレーム１０の右前部に配設された単一のブレーキペダル３６と操作可能に連動連係されている。
【００３９】
図４に示す符号３７は、ミッションケース２０の入力軸２１から動力分配機構２３にわたる３枚の平歯車２２のうちの中間の平歯車と一体回転する中間軸の回転に伴って駆動されるギヤポンプである。
【００４０】
図５に示すように、集草ダクト６は、基本的には、上板６０とこの上板６０の側端から下方に垂れ下がっている左右側板６１から構成された下方に開口したチャンネル断面をもつ角形ダクトであるが、モーアユニット４の排出口につながる入口部６Ａにはさらにチャンネル開口を塞ぐように配置された短い前方底板６２が設けられている。集草ダクト６に沿って案内される刈草はブレード４４によって作り出された上向き特性をもつ搬送風に乗っているので、底板がなくとも落下することなく後方に搬送されていくが、入口部６Ａでは搬送風が舞うことがあり、その際刈草が地面に落下することを防止するため、この前方底板６２が配置されている。従って、場合によってはこの前方底板６２の表面に堆積する刈草を除去するため、前方底板６２は手動操作によってその表面が地面に対して大きく傾斜する姿勢に揺動するように構成されている。後から詳しく説明するが、同様に、集草ダクト６と集草容器５との接続中継部材として機能するゲートフレーム７につながる集草ダクト６の出口部６Ｂにも後方底板６３が配置されている。集草ダクト６は、図１に示すように、機体フレーム１０や機体フレーム１０に取り付けられたブラケット１５によって固定されている。
【００４１】
図１、図６〜図８に示すように、ゲートフレーム７は矩形の縦プレート７０の周囲に枠プレート７１を取り付けた構造であり、縦プレート７０には通過口７２が形成されている。上側の枠プレート７１に対して、その軸芯周りで回動自在に支持された横向き姿勢の水平支軸５１に対して前記集草容器５の容器本体５０が支持されている。これにより、集草容器５は、容器本体５０の開口部５０ａが縦プレート７０に向き合ってその開口部５０ａが縦プレート７０の通過口７２に重なり合う集草姿勢と、その開口部５０ａが地面に向き合う排草姿勢との間で揺動可能となる。また、前記水平支軸５１に対して駆動アーム５２を備え、この駆動アーム５２を揺動操作する排出アクチュエータとしての油圧シリンダ５３をゲートフレーム７に備え、この油圧シリンダ５３の駆動力によって集草容器５を集草姿勢と排草姿勢との間で揺動自在に構成されている。尚、油圧シリンダ５３の駆動力によって集草容器５を揺動させる揺動系で揺動機構が構成されている。
【００４２】
この実施の形態では、ゲートフレーム７は昇降リンク機構８を介して走行機体１の後部位置に昇降自在に支持されており、この昇降リンク機構８は走行機体１に立設された転倒保護フレーム１６の左右上端部からゲートフレーム７の下部にわたってそれぞれ平行４連リンクを形成するように架設された互いに平行に延びた上側アーム８０と下側アーム８１と、転倒保護フレーム１６と下側アーム８１とにわたって昇降アクチュエータとして架設された油圧シリンダ８２によって構成されている。そして、油圧シリンダ８２の作動で、このゲートフレーム７に揺動可能に支持されている集草容器５を、集草ダクト６の出口部６Ｂの高さレベルに一致する作業レベルと、トラックの荷台高さより高い排草レベルとにわたって昇降させることができる。前記昇降リンク機構８と油圧シリンダ８２とで昇降機構が構成されている。
【００４３】
なお、前記作業レベルにおいて、集草ダクト６の出口部６Ｂと容器本体５０の開口部５０ａとがほぼ向き合うことになり、この出口部６Ｂと開口部５０ａの境界面にゲートフレーム７の縦プレート７０が位置し、縦プレート７０の通過口７２を介して集草ダクト６から送られてきた刈草は集草容器５に達することができる。
【００４４】
また、図１に示すように、集草容器５を作業レベルに設定した場合には、前記昇降リンク機構８を構成する上側アーム８０と下側アーム８１との揺動端部が斜め下方に向かうよう姿勢が設定され、ゲートフレーム７と一体的に集草容器５を上昇させた場合には、上側アーム８０と下側アーム８１との揺動に伴ってゲートフレーム７が後方に変位するため、草ダクト６の出口部６Ｂからゲートフレーム７を後方に変位させながら上昇を行えるよう構成されている。
【００４５】
前記集草ダクト６の出口部６Ｂの底壁を構成する前述した後方底板６３は、ゲートフレーム７の側に支持される本体６３ａと、この本体６３ａの先端側（刈草の移送方向での上流側）に揺動自在に支持された可動体６３ｂとで構成されている。この後方底板６３は、集草容器５を上昇させた際に、可動体６３ｂを下方に揺動することにより、この可動体６３ｂを上板６０に接触させないように構成され、また、集草容器５を集草姿勢から排草姿勢の揺動させた際には、本体６３ａの表面が地面に対して大きく傾斜する姿勢に揺動させて上面に堆積した刈草を排出できるよう構成され、この後方底板６３の構造を以下に説明する。
【００４６】
図５〜図７に示されているように、前記本体６３ａは横向き姿勢の軸芯上に配置された揺動横軸７３を介して揺動自在となるようゲートフレーム７の下部に支持され、この本体６３ａの先端側に対して横向き姿勢の軸芯上に配置された支軸６４周りで揺動自在に前記可動体６３ｂが支持されている。前記本体６３ａの両端にはウエブ６５が設けられており、後方底板６３の表面に堆積した刈草が不用意に側方から落下することを防止している。このウエブ６５により上向き開口をもつチャンネル構造となった後方底板６３はその水平姿勢において集草ダクト６の出口部６Ｂの下向き開口をもつチャンネル構造の中にはまり込むようにレイアウトされている。
【００４７】
前記揺動横軸７３に固定された揺動アーム７４の揺動端と、前記駆動アーム５２の揺動端とを連係部材としてのロッド７６によって連動連結してある。また、揺動横軸７３と同軸芯周りで揺動自在に支持した中間揺動アーム６６（揺動片の一例）と前記可動体６３ｂとを連係部材６７で連動連結し、また、中間揺動アーム６６に一体的に形成した接当部材６６ａに接当するカム体６８を、前記下側アーム８１の下端に連結する操作軸６９に備えている。なお、駆動アーム５２と揺動アーム７４とを連結するロッド７６で連動機構が構成されている。
【００４８】
このような構造から、集草容器５に蓄積された刈草を排出するため、ゲートフレーム７とともに集草容器５を上昇を開始した際には、図８に示すように前記下側アーム８１の揺動姿勢の変化に伴って、この下側アーム８１の下端に連結する操作軸６９が回動し、この回動とともに前記カム体６８が接当部材６６ａから離間する方向に回動する結果、中間揺動アーム６６の揺動が許され、可動体６３ｂの先端側が自重によって支軸６４周りに下方に向けて揺動する。なお、この第１実施の形態では、前記中間揺動アーム６６と、連係部材６７と、操作軸６９と、カム体６８と、接当部材６６ａとで接触回避手段が構成されている。
【００４９】
つまり、ゲートフレーム７とともに集草容器５を上昇させる場合には、後方底板６３の本体６３ａはほぼ水平姿勢を維持するのでゲートフレーム７の通過口７２からの刈草のこぼれ落ちを受け止めるものとなる。また、昇降リンク機構８の特性により、ゲートフレーム７が集草ダクト６の後端から後方に離間するよう変位するものであるが、後方底板６３が前方へ大きく突出する構造である場合には、この後方底板６３の先端側が集草ダクト６を構成する上板６０に接触することも考えられ、この接触を回避するために、前述したように、ゲートフレーム７の上昇と連係して可動体６３ｂが下方に折れ曲がる形態で揺動するように構成することにより、ゲートフレーム７を上昇させた場合には、この後方底板６３の先端部を上板６０に接触させず、円滑な上昇作動を実現しているのである。
【００５０】
ゲートフレーム７とともに集草容器５を上昇させた後、集草容器５に蓄積した刈草を排出する場合には、図９に示すように、前記油圧シリンダ５３を作動させることにより、駆動アーム５２が反時計方向（図９に関して）に揺動して集草容器５を排草姿勢に設定するものであるが、この集草容器５の揺動時には、駆動アーム５２の揺動力によって連結ロッド７６を押し下げ、揺動アーム７４を時計方向（図９に関して）に揺動させ、結果として、この揺動アーム７４と連結する揺動横軸７３に支持されている後方底板６３を起立姿勢に揺動させる。このように集草容器５が排草姿勢に設定される作動と機械的に連係して後方底板６３が起立姿勢に設定されることにより、集草容器５から刈草をトラックの荷台に放出するハイダンプ時においても集草容器５に蓄積された刈草の排出と、後方底板６３上に堆積した刈草の排出とを同時に行えるのである。
【００５１】
このように、本発明によると、作業時には、モーアユニット４からの刈草を集草ダクト６に送る際には、この集草ダクト６の後端部位（刈草の移送方向の下流側）においては、刈草の移送方向に沿って充分に長い距離に亘って形成された後方底板６３によって、気流を安定的に制御して、この気流とともに送られる刈草をゲートフレーム７から集草容器５に送り込めるものにしており、このように充分に長い距離に亘って形成された後方底板６３を備えたものでありながら、後方底板６３の先端の可動体６３ａを下方に折り曲げる形態で揺動させるので、この後方底板６３の先端部と集草ダクト６の上板６０との接触を回避して、破損や作動不良を招くことなく円滑な昇降を実現すると同時に、後方底板６３の本体６３ａが水平姿勢に維持されるので、ゲートフレーム７の通過口７２から刈草がこぼれ落ちる状況でも、本体６３ａが刈草のこぼれ落ちを受け止めることにより、地面に対して刈草を散乱させることがないのである。特に、この第１実施の形態では、ゲートフレーム７の上昇に伴って後方底板６３を構成する本体６３ａに対して可動体６３ｂを、その自重を利用して折り曲げる形態で揺動させるので、この揺動を実現するための専用のアクチュエータを備える必要がなく、しかも、集草容器５の排草姿勢への揺動と連動して後方底板６３（本体６３ａ）を起立させる側に揺動させるので、この揺動を実現するための専用のアクチュエータを備えずに済むものにしており、部品数の増大や、構造の複雑化を招来しないものにしているのである。
【００５２】
この第１実施の形態では、後方底板６３を構成する可動体６３ｂを下方に揺動させるために、バネを備えるものであって良く、また、後方底板６３を構成する本体６３ａを揺動させた際の起立姿勢が必ずしも垂直姿勢を意味するものではなく、刈草を自重によって排出可能な急傾斜となる姿勢を意味するものである。
【００５３】
〔第２実施の形態〕図１０（イ）、（ロ）に示すように、この第２実施の形態では、集草容器５から刈草を排出する際には集草容器５を上昇させず、集草レベルにおいて集草容器５を集草姿勢から排草姿勢に揺動させるものを想定したものであり、集草容器５が集草姿勢から排草姿勢への揺動作動に連係して後方底板６３が起立姿勢側に揺動作動する際において、後方底板６３の突出量を減ずることにより、集草ダクト６を構成する上板６０との接触を回避する接触回避手段を備えている（この第２実施の形態では前記第１実施の形態と同じ機能を有するものには、第１実施の形態と共通の番号、符号を付している）。
【００５４】
前記後方底板６３を構成する本体６３ａは横向き姿勢の軸芯上に配置された揺動横軸７３を介して揺動自在にゲートフレーム７の下部に支持され、この本体６３ａの先端側に対して横向き姿勢の軸芯上に配置された支軸６４周りで揺動自在に可動体６３ｂが支持されている。前記本体６３ａの両端にはウエブ６５が設けられており、後方底板６３の表面に堆積した刈草が不用意に側方から落下することを防止している。このウエブ６５により上向き開口をもつチャンネル構造となった後方底板６３はその水平姿勢において集草ダクト６の出口部６Ｂの下向き開口をもつチャンネル構造の中にはまり込むようにレイアウトされている。
【００５５】
図１０（イ）、（ロ）から明らかなように、前記揺動横軸７３に固定された揺動アーム７４の揺動端と、前記駆動アーム５２の揺動端とを連動機構としてのロッド７６によって連動連結してある。また、揺動横軸７３と同軸芯周りで揺動自在に支承した中間アーム９０と前記可動体６３ｂとを連係部材９１で連動連結し、また、中間アーム９０と接当することにより可動体６３ｂの揺動を規制するストッパー９２をゲートフレーム７の側に形成している。前記ストッパー９２は、可動体６３ｂが、その自重によって先端側を下方に向かわせる方向への揺動を阻止する位置に配置され、中間アーム９０はストッパー９２と接当しない側には自由に揺動できるよう揺動横軸７３に遊転支承されている。
【００５６】
このような構造を具備しているので、油圧シリンダ５３の駆動力によって集草容器５を集草姿勢から排草姿勢への揺動作動させた場合には、駆動アーム５２の揺動力によって連結ロッド７６を押し下げて揺動アーム７４を揺動させ、結果として、この揺動アーム７４と連結する揺動横軸７３に支持されている後方底板６３を起立姿勢に揺動させる。このように後方底板６３を揺動させる際には、中間アーム９０はストッパー９２により揺動が規制されているものの、この中間アーム９０と可動体６３ｂとの距離が短縮するため、可動体６３ｂが自重によって下方に揺動するものとなっている。
【００５７】
この第２実施の形態では、前記中間アーム９０と、連結部材９１と、ストッパー９２とで接触回避手段が構成され、この接触回避手段は、後方底板６３を起立姿勢に揺動させる際には、可動体６３ｂを自重で折り曲げる形態で揺動させるので、後方底板６３の突出量を減じ、集草ダクト６を構成する上板６０との接触を回避する状態で、この後方底板６３の起立姿勢への揺動を実現するのである。
【００５８】
〔第３実施の形態〕図１１（イ）、（ロ）に示すように、この第３実施の形態では、集草容器５から刈草を排出する際には集草容器５を上昇させず、集草レベルにおいて集草容器５を集草姿勢から排草姿勢に揺動させるものを想定したものであり、集草容器５が集草姿勢から排草姿勢への揺動作動に連係して後方底板６３が起立姿勢側に揺動作動する際において、後方底板６３の突出量を減ずることにより、集草ダクト６を構成する上板６０との接触を回避する接触回避手段を備えている（この第３実施の形態では前記第１実施の形態と同じ機能を有するものには、第１実施の形態と共通の番号、符号を付している）。
【００５９】
前記後方底板６３を構成する本体６３ａは横向き姿勢の軸芯上に配置された揺動横軸７３を介して揺動自在にゲートフレーム７の下部に支持され、この本体６３ａの先端側に対し、ゲートフレーム７に接近・離間自在となるよう支持部９９を介してスライド自在に前記可動体６３ｂが支持されている。前記本体６３ａの両端にはウエブ６５が設けられており、後方底板６３の表面に滞積した刈草が不用意に側方から落下することを防止している。このウエブ６５により上向き開口をもつチャンネル構造となった後方底板６３はその水平姿勢において集草ダクト６の出口部６Ｂの下向き開口をもつチャンネル構造の中にはまり込むようにレイアウトされている。前記支持部９９は、本体６５ａの側に支持した複数のピン９９ａを、可動体６３ｂの側の部材に形成した長孔９９ｂに挿通した構造を有し、本体６５ａと可動体６３ｂとを直線的にスライド作動させるよう機能するものであるが、この支持部９９は、図面に示した構造に限るものではなく、ガイドレールに案内されるローラを有した構造やパンタグラフ型のリンク機構によって本体６５ａに対して可動体６５ｂを相対移動自在に支持する構造のものであっても良い。
【００６０】
図１１（イ）、（ロ）から明らかなように、前記揺動横軸７３と一体揺動する揺動部材９５に対して、揺動横軸の軸芯と平行姿勢となる支軸９６周りで揺動自在に操作アームとしてクランクアーム９７を支承し、このクランクアーム９７の一方の端部と前記前記駆動アーム５２の揺動端とを連動機構としてのロッド７６によって連動連結し、このロッド７６の連結端７６ａを、揺動部材９５に形成した長孔９５ａに挿通し、更に、クランクアーム９７の他方の端部と前記可動体６３ｂとを連結部材９８で連結している。
【００６１】
このような構造を具備しているので、油圧シリンダ５３の駆動力によって集草容器５を集草姿勢から排草姿勢への揺動作動させた場合には、駆動アーム５２の揺動力によって連結ロッド７６を押し下げ、クランクアーム９７を図１１（ロ）のように時計方向に揺動させ、この揺動力によって連結部材９８を介して可動体６３ｂをゲートフレーム７の側にスライド作動させ、後方底板６３の先端部の突出量を減じこの後、ロッド７６の連結端７６ａが前記長孔９５ａの下端に接当することにより、揺動部材９５と本体６３ａとを一体的に揺動させるものとなっている。
【００６２】
この第３実施の形態では、クランクアーム９７と、連結部材９８とで接触回避手段が構成され、この接触回避手段は、後方底板６３を起立姿勢に揺動させる際には、後方底板６３が揺動を開始する以前に可動体６３ｂをスライド作動させることによって、後方底板６３の突出量を減じ、このように突出量を減じた後に揺動を開始するので、集草ダクト６を構成する上板６０との接触を確実に回避する状態で、この後方底板６３の起立姿勢への揺動を実現するのである。
【００６３】
〔第４実施の形態〕図１２（イ）、（ロ）に示すように、この第４実施の形態では、集草容器５から刈草を排出する際には集草容器５を上昇させず、集草レベルにおいて集草容器５を集草姿勢から排草姿勢に揺動させるものを想定したものであり、集草容器５が集草姿勢から排草姿勢への揺動作動に連係して後方底板６３が起立姿勢側に揺動作動する際において、後方底板６３の突出量を減ずることにより、集草ダクト６を構成する上板６０との接触を回避する接触回避手段を備えている（この第４実施の形態では前記第１実施の形態と同じ機能を有するものには、第１実施の形態と共通の番号、符号を付している）。
【００６４】
前記本体６３ａは横向き姿勢の軸芯上に配置された揺動横軸７３を介して揺動自在にゲートフレーム７の下部に支持され、この本体６３ａの先端側に対して横向き姿勢の軸芯上に配置された支軸６４周りで揺動自在に前記可動体６３ｂが支持されている。前記本体６３ａの両端にはウエブ６５が設けられており、後方底板６３の表面に堆積した刈草が不用意に側方から落下することを防止している。このウエブ６５により上向き開口をもつチャンネル構造となった後方底板６３はその水平姿勢において集草ダクト６の出口部６Ｂの下向き開口をもつチャンネル構造の中にはまり込むようにレイアウトされている。
【００６５】
図１２（イ）、（ロ）から明らかなように、前記揺動横軸７３と一体揺動する揺動部材９５に対して、揺動横軸の軸芯と平行姿勢となる支軸９６周りで揺動自在にクランクアーム９７を支承し、このクランクアーム９７の一方の端部と前記前記駆動アーム５２の揺動端とを連動機構としてのロッド７６によって連動連結し、このロッド７６の連結端７６ａを、揺動部材９５に形成した長孔９５ａに挿通し、更に、クランクアーム９７の他方の端部と前記可動体６３ｂとを連結部材９８で連結している。
【００６６】
このような構造を具備しているので、油圧シリンダ５３の駆動力によって集草容器５を集草姿勢から排草姿勢への揺動作動させた場合には、駆動アーム５２の揺動力によって連結ロッド７６を押し下げ、クランクアーム９７を図１２（ロ）に示すように時計方向に揺動させ、この揺動力によって連結部材９８を介して可動体６３ｂを上方に揺動させて後方底板６３の先端部の突出量を減じこの後、ロッド７６の連結端７６ａが前記長孔９５ａの下端に接当することにより、揺動部材９５と本体６３ａとを一体的に揺動させるものとなっている。
【００６７】
この第４実施の形態では、クランクアーム９７と、連結部材９８とで接触回避手段が構成され、この接触回避手段は、後方底板６３を起立姿勢に揺動させる際には、後方底板６３が揺動を開始する以前に可動体６３ｂを揺動させることによって、後方底板６３の突出量を減じ、このように突出量を減じた後に揺動を開始するので、草ダクト６を構成する上板６０との接触を確実に回避する状態で、この後方底板６３の起立姿勢への揺動を実現するのである。
【００６８】
〔別実施の形態〕
本発明は、上記した実施の形態以外に以下のように構成しても良い。
【００６９】
（イ）ゲートフレーム７の上昇時に後方底板６３の突出側の端部の突出量を減ずるための構造として、第１実施の形態の構造以外に、本体６３ａに対して可動体６３ｂを上方に揺動させる構造を採用することや、可動体６３ｂを本体６３ａの方向にスライドさせる構造を採用する。
【００７０】
（ロ）本体６３ａに対して可動体６３ｂを変位させることにより後方底板６３の突出側の端部の突出量を減ずる作動を実現するものとして、第１〜第４実施の形態のように機械的な連係構造に代えて、本体６３ａに対して可動体６３ｂを変位させるために電動モータや油圧アクチュエータ等の専用のアクチュエータを備える。
【００７１】
（ハ）ゲートフレーム７に対して後方底板６３（本体６３ａ）を揺動させる作動を実現するものとして、第１〜第４実施の形態のように機械的な連係構造に代えて、後方底板６３（本体６３ａ）を揺動させるために電動モータや油圧アクチュエータ等の専用のアクチュエータを備える。
【図面の簡単な説明】
【００７２】
【図１】第１実施の形態の草刈機の側面図
【図２】第１実施の形態の草刈機の平面図
【図３】第１実施の形態の後輪と集草ダクトとの位置関係を示す後面図
【図４】第１実施の形態の草刈機の伝動系を示す模式図
【図５】第１実施の形態の集草ダクトの構造を示す縦断側面図
【図６】第１実施の形態の後方底板の支持構造を示す断面図
【図７】第１実施の形態の方底板とゲートフレームとを示す正面図
【図８】第１実施の形態のゲートフレームの上昇時における後方底板の作動形態を示す側面図
【図９】第１実施の形態の集草容器を排草姿勢に設定した際の後方底板の姿勢を示す側面図
【図１０】第２実施の形態の集草容器を排草姿勢に設定した際の後方底板の姿勢を連続的に示す側面図
【図１１】第３実施の形態の集草容器を排草姿勢に設定した際の後方底板の姿勢を連続的に示す側面図
【図１２】第４実施の形態の集草容器を排草姿勢に設定した際の後方底板の姿勢を連続的に示す側面図
【符号の説明】
【００７３】
１            走行機体
３            車輪
４            モーアユニット
５            集草容器
６            集草ダクト
６Ｂ          出口部
７            ゲートフレーム
８            昇降リンク機構
５０ａ        開口部
５３          排出アクチュエータ
６０          上板
６１          左右側板
６２、６３    底板
６３ａ        本体
６３ｂ        可動体
６６          揺動片
６７          連係部材
６８          カム体
７２          通過口
７６          連係部材・ロッド
８２          昇降アクチュエータ
【図１】
2005151840.tif 000003
【図２】
2005151840.tif 000004
【図３】
2005151840.tif 000005
【図４】
2005151840.tif 000006
【図５】
2005151840.tif 000007
【図６】
2005151840.tif 000008
【図７】
2005151840.tif 000009
【図８】
2005151840.tif 000010
【図９】
2005151840.tif 000011
【図１０】
2005151840.tif 000012
【図１１】
2005151840.tif 000013
【図１２】
2005151840.tif 000014